(57)【特許請求の範囲】
【請求項１】
畳の厚さ方向に貫通する円柱形の第１貫通孔を有する第１の畳と、
畳の厚さ方向に貫通する円柱形の第２貫通孔を有する第２の畳と、
前記円柱形の各貫通孔の表面において畳を構成する部材の端がほつれるのを防止する固定手段と、
前記複数の畳の下に敷設され、化学物質を吸着する吸着剤を有し上面に凹凸を持つシートとを備え、
畳の上方の空間から前記第１貫通孔を介して前記畳と前記シートとの間に入った空気が、第２貫通孔から畳の上方の前記空間に流出することを可能とした畳下換気システム。
【請求項２】
請求項１において、前記貫通孔に嵌合する円筒部材を更に備えた畳下換気システム。
【請求項３】
請求項２において、前記円筒部材は前記貫通孔の内周面に接着された接着用カラーを包含し前記接着用カラーが前記固定手段の一部を構成している畳下換気システム。
【請求項４】
請求項２において、前記円筒部材は畳の裏面から前記貫通孔に挿入される第１のカラーと、畳の表面から前記貫通孔に挿入される第２のカラーとを包含し、
前記第１のカラーは前記畳の裏面に係合する第１鍔を有し、前記第２のカラーは前記畳の表面に係合する第２鍔を有し、前記第１のカラーと前記第２のカラーとが互いに係合して前記第１鍔と前記第２鍔との間で畳を挟み付けることができるようにした畳下換気システム。
【請求項５】
請求項１〜４のいずれかにおいて、前記各貫通孔が畳の隅部であって室の隅に形成されている畳下換気システム。
【請求項６】
請求項１〜５のいずれかにおいて、前記吸着剤として木炭を包含する畳下換気システム。
【請求項７】
請求項１〜６のいずれかにおいて、前記貫通孔を介して畳下の空気と室の空気とを換気する換気ファンを前記貫通孔内に備えた畳下換気システム。
【請求項８】
請求項７において、前記換気ファンを収容する筒状の収容部と、該収容部に連なり畳の表面に係合する鍔部と、該鍔部の表面に設けられた前記換気ファンのモータに給電する太陽電池とを更に備えた畳下換気システム。
【請求項９】
請求項１〜８のいずれかにおいて、前記貫通孔を閉塞するキャップを更に備えた畳下換気システム。
【請求項１０】
請求項２〜９の畳下換気システムを備えた住宅にリフォームするリフォーム方法であって、
室の畳を上げる工程と、
畳にホールソーで前記円柱形の貫通孔を形成する工程と、
前記貫通孔に前記円筒部材を装着する工程と、
畳下となるスラブまたは板の上に前記シートを敷設する工程と、
前記円筒部材を装着した畳を前記シート上に敷設する工程とを備えたリフォーム方法。
【請求項１１】
請求項１〜９のいずれかに記載の畳下換気システムを用いた畳下換気方法であって、
前記第１貫通孔から畳下の空間に空気を圧送しつつ、前記第２貫通孔から畳下の空気を室内に向って吸引する畳下換気方法。
【請求項１２】
請求項２〜４のいずれかに記載の畳下換気システムを用いた畳下換気方法であって、
前記円筒部材に掃除機のパイプを連通させ、畳下の空気を吸引する畳下換気方法。
【請求項１３】
請求項２〜４のいずれかに記載の畳下換気システムを用いた畳下換気方法であって、
温風を畳下に圧送するパイプを前記円筒部材に連通させ、畳下に温風を圧送する畳下換気方法。
【発明の詳細な説明】
【技術分野】
【０００１】
本発明は畳下の換気に関する。
【背景技術】
【０００２】
マンションの畳下や新しい施工法の一戸建住居においては、畳下にコンクリートおよびモルタルからなるスラブが形成されていたり、床下に対し通気性のないベニヤ板などが敷設されている。かかる住居においては、畳下の換気が著しく低く、畳下に湿気を帯び、ダニの大量発生の原因となる。また、結露により住宅の劣化する要因となる。
【０００３】
かかる問題を解決するために、室の畳の長辺に沿って通気部材を設けると共に、畳下に通気シートを敷設するシステムが知られている（特許文献１）。
【特許文献１】特開平１０−６１０４８号（フロントページ）
【０００４】
しかし、前記先行技術においては、畳の長辺に沿った通気部材を設けるので、室や畳の大きさが規格外となる。そのため未だ実用に供されていない。
【０００５】
前記マンション等は気密性が高く、その一方で、天井化粧材、壁紙、襖、絨毯およびその接着剤などからは化学物質が室内の雰囲気に発散し、シックハウス（化学物質アレルギー）になる人も少なくない。
化学物質を吸着するために、室内に炭等をおくこともなされているが、住宅設備故、炭等の総量を十分な量とするのは難しい。
【発明の開示】
【０００６】
したがって、本発明は室や畳の大きさが規格外とならず、実用に供することができ、しかも、シックハウスを防止し得る畳下換気システム、畳下換気方法およびリフォーム方法を提供することである。
【０００７】
前記目的を達成するための本畳下換気システムは、畳の厚さ方向に貫通する円柱形の第１貫通孔を有する第１の畳と、畳の厚さ方向に貫通する円柱形の第２貫通孔を有する第２の畳と、前記円柱形の各貫通孔の表面において畳を構成する部材の端がほつれるのを防止する固定手段と、前記複数の畳の下に敷設され、吸着剤を有し上面に凹凸を持つシートとを備え、畳の上方の空間から前記第１貫通孔を介して前記畳と前記シートとの間に入った空気が、第２貫通孔から畳の上方の前記空間に流出することを可能とする。
【０００８】
本発明によれば、室の上方の空間から第１貫通孔を介して、凹凸を持つシートと畳との間に入った空気は、畳の下を流れて第２貫通孔から上方の室の空間に流出する。これにより、畳下の換気がなされる。
この際、畳下のシートは吸着剤を有しているので、畳下の湿気が除去される。そのため、ダニの発生や結露を防止し得る。
また、室内の空気は吸着剤に接触することで、化学物質が除去される。そのため、シックハウス症候群の発生を防止し得る。
一方、第１および第２貫通孔は円柱形であるから壁を穿孔するホールソーなどにより容易に貫通孔を形成し得るし、規格の畳に孔を穿孔できる。
しかも、貫通孔の表面は固定手段で保護されているので、貫通孔から畳が劣化するおそれもない。
【実施例】
【０００９】
以下、本発明の一実施例を図面にしたがって説明する。
図１において、６畳の室の各畳１i の下には、シート２が敷設されている。シート２は上面に凹凸を有し各凸部２１には、たとえば木炭のような吸着剤が充填されている。シート２は複数に分かれている方が用い易い。
なお、図２に示すように、シート２は２枚の通気性を持つ不織布２３、２３の間に吸着剤２４を収容したものを用いるのが好ましい。
【００１０】
図１の６枚の畳のうち４枚の畳１1 〜１4 には、畳の厚さ方向に貫通する円柱形の貫通孔３１、３２が形成されている。
畳１i の上方の空間から第１貫通孔３１を介して前記畳１i と前記シート２との間に入った空気が、シート２の凹部２２を通って第２貫通孔３２から畳１i の上方の前記空間に流出することが可能である。
【００１１】
図３に示すように、各貫通孔３１、３２には、複数の円筒部材４０〜４２が嵌合している。各円筒部材４０〜４２は、各貫通孔の表面において畳を構成するワラやイ草などの部材の端がほつれるのを防止する固定手段の一部を構成する。
【００１２】
図４に示すように、前記円筒部材の１つである接着用カラー４０は、各貫通孔３１、３２の内周面に接着剤４３を介して接着されている。これにより、畳中心の「ワラ」がほつれるのを防止する。なお、前記接着用カラー４０は紙管や布、畳表の部材（「イ」草）で形成するのが好ましい。
【００１３】
図４Ａに示すように、前記円筒部材は畳の裏面から前記貫通孔３１、３２に挿入される第１のカラー４１と、畳の表面から前記貫通孔３１、３２に挿入される第２のカラー４２とを包含する。
前記第１のカラー４１は前記畳の裏面に係合する第１鍔４１ａを有し、前記第２のカラー４２は前記畳の表面に係合する第２鍔４２ａを有し、前記第１のカラー４１と前記第２のカラー４２とが中間の係合部４４で互いに係合して前記第１鍔４１ａと前記第２鍔４２ａとの間で畳を挟み付ける。これにより、畳の表面や裏面の近くにおいて前記部材がほつれるのを防止する。
【００１４】
なお、前記第１および第２のカラー４１、４２は合成樹脂で形成するのが好ましい。
また、前記円筒部材として、１枚の鍔付筒状の布を用意し、畳の縁のように縫ってもよい。
【００１５】
つぎに、リフォームで前記システムを形成する方法について説明する。
まず、室の畳を上げる。ついで、図１の複数枚の畳１1 〜１4 にホールソーで図３の前記円柱形の貫通孔３１、３２を形成する。その後、前記貫通孔３１、３２に前記接着用カラー４０を接着剤４３で前記貫通孔３１、３２に接着し、この接着後、第１および第２のカラー４１、４２を接着用カラー４０内に装着する。
一方、畳下となるスラブまたは板の上に図１の前記シート２を敷設する。その後、前記円筒部材４０〜４２を装着した畳１i を前記シート２上に敷設する。
【００１６】
こうして形成された畳下換気システムにおいては、１または複数の前記第１貫通孔３１から畳下の空間に空気を圧送しつつ、１または複数の前記第２貫通孔３２から畳下の空気を室内に向って吸引する。これにより、換気とハウスシックの双方が防止される。
【００１７】
図４Ａの前記第２のカラー４２に掃除機のパイプを挿入して連通させ、畳下の空気を吸引してもよい。
【００１８】
また、温風を畳下に圧送するフトン乾燥機のパイプを前記第２のカラー４２に挿入して連通させ、畳下に温風を圧送してもよい。
【００１９】
図５に示すように、前記貫通孔３１、３２を介して畳下の空気と室の空気とを換気する換気ファン５０を更に設けてもよい。この場合、常時換気が可能となる。
この場合、前記換気ファン５０を収容する筒状の収容部５１と、該収容部５１に連なり畳の表面に係合する鍔部５２と、該鍔部の表面に設けられた前記換気ファンのモータ（図示せず）に給電する太陽電池５３とを備えたファンユニット５を設けるのが好ましい。
【００２０】
一方、図４Ｂに示すように、前記貫通孔３１、３２を閉塞するキャップ６を更に備えていれば、換気が不要な場合に便利である。
【００２１】
なお、前記各貫通孔３１、３２は、一般に、畳の隅部であって室の隅に形成されるが、家具の配置や室の用い方により、畳の中央等に形成してもよい。
【産業上の利用可能性】
【００２２】
本発明は畳下の換気に利用することができる。
【図面の簡単な説明】
【００２３】
【図１】本発明の畳下換気システムを示す概略分解斜視図である。
【図２】同縦断面図である。
【図３】円筒部材を示す分解斜視図である。
【図４】円筒部材を装着した要部の断面図である。
【図５】ファンを第１のカラーに装着した断面図である。
【符号の説明】
【００２４】
１1 〜１6 ：畳
２：シート
３１：第１貫通孔
３２：第２貫通孔
４０：接着用カラー
４１：第１のカラー
４２：第２のカラー
５０：ファン
６：キャップ
【要約】
【課題】室や畳の大きさが規格外とならず、実用に供することができ、しかも、シックハウスを防止し得る畳下換気システム、畳下換気方法およびリフォーム方法を提供する。
【解決手段】畳の厚さ方向に貫通する円柱形の第１貫通孔３１を有する第１の畳と、畳の厚さ方向に貫通する円柱形の第２貫通孔３２を有する第２の畳と、前記円柱形の各貫通孔３１、３２の表面において畳を構成する部材の端がほつれるのを防止する固定手段と、前記複数の畳の下に敷設され、吸着剤を有し上面に凹凸を持つシート２とを備え、畳の上方の空間から前記第１貫通孔３１を介して前記畳と前記シート２との間に入った空気が、第２貫通孔３２から畳の上方の前記空間に流出することを可能とする。
【選択図】図１【図１】
0004149509.tif 000002
【図２】
0004149509.tif 000003
【図３】
0004149509.tif 000004
【図４】
0004149509.tif 000005
【図５】
0004149509.tif 000006